(57)【特許請求の範囲】
【請求項１】
超音波振動子を内蔵したハンドピース本体と、前記超音波振動子に着脱自在に螺着されるスケーラチップとから成る歯科用スケーラハンドピースにおいて、前記ハンドピース本体の先端部に該ハンドピース本体に対して回転自在に取り付けられた回転筒と、該回転筒に対して軸方向に回動自在に取り付けられ、先端部に前記スケーラチップと係合する係合部を有するレバーを具備し、前記スケーラチップが前記回転筒内に挿入された時に該スケーラチップの係合部を前記レバーの係合部に係合させ、該回転筒を前記レバーにて回転させて前記スケーラチップを前記超音波振動子に螺合するようにしたことを特徴とする歯科用スケーラハンドピース。
【請求項２】
前記レバーの先端係合部がコ字形に形成され、前記スケーラチップの係合部は該スケーラチップの軸の一部が平行面に形成されて成り、該平行面に形成された係合部が前記レバーのコ字形係合部内に係合され、前記レバーを回転した時に該レバーの回転と共に前記スケーラチップが回転されることを特徴とする請求項１に記載の歯科用スケーラチップ。
【請求項３】
前記レバーは前記回転筒の管壁に該回転筒の軸方向に直交して設けられたピン軸のまわりに回動自在に取り付けられ、非使用時は前記回転筒内に収納されており、使用時、該レバーを前記ピン軸のまわり略９０°回転させて前記係合部を前記スケーラチップに係合させるようにしたことを特徴とする請求項１又は２に記載の歯科用スケーラハンドピース。
【発明の詳細な説明】
【０００１】
【発明の属する技術分野】
本発明は、歯科用スケーラハンドピース、より詳細には、歯科治療において、歯石除去、ルートプレーニング等を行うのに使用する超音波振動子付きの歯科用超音波スケーラハンドピースに関する。
【０００２】
【従来の技術】
歯科治療においては、歯石の除去、根管の平面化（Ｒｏｏｔ  Ｐｌａｎｉｎｇ）等を行うために、最近では、一般的には、超音波振動子を用いたハンドピースを使用している。図２は、超音波振動子を用いたハンドピースの例としての周知の超音波スケーラ（ｓｃａｌｅｒ）の一例を説明するための要部断面構成図で、図中、１は超音波振動子、２は該超音波振動子１（振動源は、圧電素子、エアーのいずれでもよい）を内蔵するハンドピースで、前記超音波振動子１は該ハンドピース２内に収納され、前記超音波振動子１にスケーラチップ３が着脱自在に装着され、該スケーラチップ３が超音波振動されて歯石の除去が行われる。
【０００３】
【発明が解決しようとする課題】
上述のごとき歯科用超音波治療具において、超音波振動子１へスケーラチップ３を取り付ける場合或いは該スケーラチップ３を交換する場合、従来、超音波スケーラのハンドピース２に内蔵されている超音波振動子１にスケーラチップ３をねじ込むことによって、スケーラチップ３と超音波振動子１（従って、ハンドピース２）が連結され、スケーラチップ３に超音波振動子１の振動が伝わり、これにより歯科治療が行えるが、このスケーラチップ３の超音波振動子１への取り付け方法がネジ式のため、ネジ締めするための工具（レンチ等）を別途必要とし、その保管、管理等が面倒臭く、不便であった。
【０００４】
本発明は、上述のごとき実情に鑑みてなされたもので、歯科用超音波スケーラハンドピースにおいて、スケーラチップの超音波振動子への取り付けを、該スケーラハンドピースに一体的に取り付けられている工具にて行い得るようにして、該スケーラチップの超音波振動子への取り付けを簡単、容易にして、作業効率の向上を図ることを目的としてなされたものである。
【０００５】
【課題を解決するための手段】
請求項１の発明は、超音波振動子を内蔵したハンドピース本体と、前記超音波振動子に着脱自在に螺着されるスケーラチップとから成る歯科用スケーラハンドピースにおいて、前記ハンドピース本体の先端部に該ハンドピース本体に対して回転自在に取り付けられた回転筒と、該回転筒に対して軸方向に回動自在に取り付けられ、先端部に前記スケーラチップと係合する係合部を有するレバーを具備し、前記スケーラチップが前記回転筒内に挿入された時に該スケーラチップの係合部を前記レバーの係合部に係合させ、該回転筒を前記レバーにて回転させて前記スケーラチップを前記超音波振動子に螺合するようにしたことを特徴としたものである。
【０００６】
請求項２の発明は、請求項１の発明において、前記レバーの先端係合部がコ字形に形成され、前記スケーラチップの係合部は該スケーラチップの軸の一部が平行面に形成されて成り、該平行面に形成された係合部が前記レバーのコ字形係合部内に係合され、前記レバーを回転した時に該レバーの回転と共に前記スケーラチップが回転されることを特徴としたものである。
【０００７】
請求項３の発明は、請求項１又は２の発明において、前記レバーは前記回転筒の管壁に該回転筒の軸方向に直交して設けられたピン軸のまわりに回動自在に取り付けられ、非使用時は前記回転筒内に収納されており、使用時、該レバーを前記ピン軸のまわり略９０°回転させて前記係合部を前記スケーラチップに係合させるようにしたことを特徴としたものである。
【０００８】
【発明の実施の形態】
図１は、本発明による歯科用スケーラハンドピースの一実施例を説明するための要部概略構成図で、図中、１０は本発明によって付加された回転筒で、該回転筒１０は、ハンドピース２の先端部外周部に設けられた円環状の溝２ａに、止めネジ１３の頭部１３ａが周方向に移動自在のように、該止めネジ１３を該回転筒１０にねじ止めすることによって回動自在に取り付けられている。１２は該回転筒１０の管壁に、該回転筒１０の回転軸と直交する方向に配設されたピン１１のまわりに回動自在に設けられたレバーで、該レバー１２はピン１１を中心に矢印Ａ，Ｂ方向に回動可能に取り付けられている。
【０００９】
レバー１２は、非使用時は、矢印Ａ方向に倒されて、好ましくは、回転筒１０内に収納されており、使用時は、矢印Ｂ方向に起こされて図示の状態にされ、この状態で前記止めネジ１３の頭部１３ａと環状溝２ａとの関係により、図１（Ｂ）に矢印Ｃにて示すように、ハンドピース２の軸まわりに回転されるようになっている。
【００１０】
レバー１２の先端部１２ａは、図１（Ｂ）に示すように、例えば、コ字状に形成されており、一方、スケーラチップ３には、図１（Ｂ）により明確に示すように、軸の一部が平行面３ａに形成されており、このスケーラチップ３の平行面３ａとレバー１２のコ字状部１２ａとが係合され、この状態で、レバー１２を矢印Ｃ方向に回転すると（回転筒１０は、前述のように、ハンドピース２に対して回転自在に取り付けられている）、スケーラチップ３の先端部に設けられた雄ネジ３ｂが超音波振動子１に設けられた雌ネジ１ｂに螺合され、これにより、スケーラチップ３を超音波振動子１に螺着することができる。螺着後は、レバー１２を矢印Ａ方向に倒すことによって回転筒１０内に収納し、通常の超音波スケーラと同様にして使用することができる。
【００１１】
【発明の効果】
以上の説明から明らかなように、本発明によると、歯科用超音波スケーラにおいて、スケーラチップを超音波振動子に螺着するためのネジ締め工具がスケーラハンドピースと一体的に取り付けられているので、ネジ締め工具の保管、管理の必要がなく、必要な時は、該スケーラハンドピースに一体的に取り付けられているレバーを起こすことにより、いつでも、簡単に、スケーラチップを超音波振動子に螺着し、或いは、取り外すことができる。
【図面の簡単な説明】
【図１】  本発明による歯科用スケーラハンドピースの一実施例を説明するための要部構成図である。
【図２】  従来の歯科用超音波スケーラハンドピースの一例を説明するための要部構成図である。
【符号の説明】
１…超音波振動子、１ｂ…雌ネジ、２…スケーラハンドピース、２ａ…円環状の溝、３…スケーラチップ、３ａ…スケーラチップの係合部（平行面部）、３ｂ…雄ネジ、１０…回転筒、１１…ピン、１２…レバー、１２ａ…レバー先端の係合部（コ字部）、１３…止めネジ、１３ａ…止めネジの頭部。
【図１】
0003652294.tif 000002
【図２】
0003652294.tif 000003